(57)【要約】【課題】非常時の発信をより確実に継続すること。【解決手段】無線子機１０は、セルラ通信モジュール１０５と、ＷｉＦｉ通信モジュール１０６と、プロセッサ１０１とを有する。セルラ通信モジュール１０５は、セルラ基地局３０と通信可能である。ＷｉＦｉ通信モジュール１０６は、無線親機２０と通信可能である。プロセッサ１０１は、無線親機２０からの発信開始指示がＷｉＦｉ通信モジュール１０６によって受信されたときにセルラ通信モジュール１０５を用いてセルラ基地局３０への無線発信を開始する。また、プロセッサ１０１は、セルラ基地局３０への無線発信の開始後、無線親機２０からの発信停止指示がＷｉＦｉ通信モジュール１０６によって受信されたときにセルラ基地局３０への無線発信を停止する。【選択図】図２
2015216425.tif 000002
【特許請求の範囲】
【請求項１】
無線親機と、無線子機と、基地局とを有する通信システムであって、
前記無線子機は、前記無線親機に対する所定の操作に応じて前記無線親機から送信される開始指示を受信したときに前記基地局への無線発信を開始し、前記無線発信の開始後、前記無線親機から停止指示を受信したときに前記無線発信を停止する、
通信システム。
【請求項２】
基地局と通信可能な第一通信モジュールと、
他の通信機と通信可能な第二通信モジュールと、
前記他の通信機からの開始指示が前記第二通信モジュールによって受信されたときに前記第一通信モジュールを用いて前記基地局への無線発信を開始し、前記無線発信の開始後、前記他の通信機からの停止指示が前記第二通信モジュールによって受信されたときに前記無線発信を停止するプロセッサと、
を具備する携帯通信機。
【請求項３】
前記プロセッサは、前記携帯通信機が前記他の通信機から所定の距離外に位置する状態において、前記無線発信の開始から所定時間が経過したときは、前記無線発信の発信間隔を、前記無線発信の開始から前記所定時間経過前の前記発信間隔より大きくする、
請求項２に記載の携帯通信機。
【請求項４】
前記プロセッサは、前記携帯通信機が前記他の通信機から所定の距離内に位置する状態において、前記無線発信の開始から所定時間が経過したときは、前記停止指示の受信の有無にかかわらず、前記無線発信を停止する、
請求項２に記載の携帯通信機。
【請求項５】
無線親機と、無線子機と、基地局とを有する通信システムにおける無線通信方法であって、
前記無線親機が、前記無線親機に対する所定の操作に応じて前記無線子機へ開始指示を送信し、
前記無線子機が、前記開始指示を受信したときに前記基地局への無線発信を開始し、前記無線発信の開始後、前記無線親機から停止指示を受信したときに前記無線発信を停止し、
前記基地局は、前記無線子機からの前記無線発信を受信する、
無線通信方法。
【発明の詳細な説明】
【技術分野】
【０００１】
本発明は、通信システム、携帯通信機及び無線通信方法に関する。
【背景技術】
【０００２】
ユーザが、身に危険を感じたとき、または、身体に不具合を生じたとき等の緊急時に、ワンタッチ操作で通報センタへ緊急通報を発信可能な携帯端末が提案されている。
【先行技術文献】
【特許文献】
【０００３】
【特許文献１】特開２００２−２２３３２２号公報
【特許文献２】特開２０１０−０４５４９０号公報
【発明の概要】
【発明が解決しようとする課題】
【０００４】
しかし、悪意を持った他人に携帯端末を奪われて緊急通報の発信を強制的にキャンセルされる場合が想定される。これに対し、ユーザだけが既知のパスワードを携帯端末に設定する、または、携帯端末によって指紋認証を行う等によって、緊急通報発信後に、悪意を持った他人による携帯端末の操作を不可にする対策を採ることが考えられる。しかし、このような対策を採っても、悪意を持った他人に携帯端末を奪われて破壊される等して携帯端末が発信機能を失った場合には、ユーザは緊急通報を継続して行うことができなくなってしまう。
【０００５】
開示の技術は、上記に鑑みてなされたものであって、非常時の発信をより確実に継続することを目的とする。
【課題を解決するための手段】
【０００６】
開示の態様では、通信システムは、無線親機と、無線子機と、基地局とを有する。前記無線子機は、前記無線親機に対する所定の操作に応じて前記無線親機から送信される開始指示を受信したときに前記基地局への無線発信を開始し、前記無線発信の開始後、前記無線親機から停止指示を受信したときに前記無線発信を停止する。
【発明の効果】
【０００７】
開示の態様によれば、非常時の発信をより確実に継続することができる。
【図面の簡単な説明】
【０００８】
【図１】図１は、実施例１の通信システムの構成例を示す図である。
【図２】図２は、実施例１の無線子機の構成例を示す図である。
【図３】図３は、実施例１の無線親機の構成例を示す図である。
【図４】図４は、実施例１の無線子機の処理の説明に供するフローチャートである。
【図５】図５は、実施例１の無線子機の動作の説明に供する図である。
【図６】図６は、実施例１の無線子機の動作の説明に供する図である。
【図７】図７は、実施例１の無線親機の処理の説明に供するフローチャートである。
【発明を実施するための形態】
【０００９】
以下に、本願の開示する通信システム、携帯通信機及び無線通信方法の実施例を図面に基づいて説明する。なお、この実施例により本願の開示する通信システム、携帯通信機及び無線通信方法が限定されるものではない。
【００１０】
［実施例１］
＜通信システムの構成例＞
図１は、実施例１の通信システムの構成例を示す図である。図１において、通信システム１は、セルラ基地局３０−１〜３０−３と、携帯通信機である無線子機１０と、携帯通信機である無線親機２０とを有する。セルラ基地局３０−１〜３０−３は、通信エリアＣ１〜Ｃ３を形成する。無線親機２０は、無線子機１０と通信可能である。無線子機１０は、無線親機２０及びセルラ基地局３０−１〜３０−３と通信可能である。図１では、子機１０は、通信エリアＣ１に位置するため、セルラ基地局３０−１〜３０−３のうち、セルラ基地局３０−１と通信可能である。以下では、セルラ基地局３０−１〜３０−３を特に区別しない場合には、セルラ基地局３０と総称することがある。
【００１１】
＜無線子機の構成例＞
図２は、実施例１の無線子機の構成例を示す図である。図２において、無線子機１０は、プロセッサ１０１と、メモリ１０２と、バッテリー１０３とを有する。また、無線子機１０は、ＲＦ（Radio  Frequency）タグ１０４と、セルラ通信モジュール１０５と、ＷｉＦｉ（Wireless  Fidelity）通信モジュール１０６と、ＧＰＳ（Global  Positioning  System）モジュール１０７とを有する。
【００１２】
無線子機１０は、例えば、小型のウェアラブル端末であり、リストバンド型、指輪型、ペンダント型等、無線子機１０のユーザ以外の他人には携帯通信機には見えない外観を採ることが好ましい。
【００１３】
プロセッサ１０１は、無線子機１０の各種の処理を行う。特に、プロセッサ１０１は、セルラ通信モジュール１０５及びＷｉＦｉ通信モジュール１０６を制御することにより、セルラ基地局３０との通信及び無線親機２０との通信を制御する。また、プロセッサ１０１は、所定の条件の下、バッテリー１０３の残量を検出し、検出した残量に応じて、セルラ基地局３０との通信を制御する。また、プロセッサ１０１は、タイマ（図示せず）を有し、タイマの経過時間に応じて、セルラ基地局３０との通信を制御する。また、プロセッサ１０１は、ＧＰＳモジュール１０７で測位された無線子機１０の現在位置を、セルラ通信モジュール１０５を用いてセルラ基地局３０へ送信する。プロセッサ１０１が行う処理の詳細は後述する。プロセッサ１０１の一例として、ＣＰＵ（Central  Processing  Unit）、ＤＳＰ（Digital  Signal  Processor）、ＦＰＧＡ（Field  Programmable  Gate  Array）等が挙げられる。
【００１４】
メモリ１０２は、無線子機１０にユニークな子機ＩＤ（identifier）、及び、無線子機１０にペアリングされている無線親機２０にユニークな親機ＩＤを記憶する。また、メモリ１０２は、プロセッサ１０１に各種の処理を行わせる各種のプログラムを記憶する。メモリ１０２の一例として、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【００１５】
バッテリー１０３は、無線子機１０の電源であり、無線子機１０を動作させるための電力を蓄えている。
【００１６】
ＲＦタグ１０４は、無線親機２０が有するＲＦＩＤ（Radio  Frequency  Identifier）リーダとの間で近距離無線通信によって情報をやりとりする。ＲＦタグ１０４には、無線子機１０にユニークな子機ＩＤが格納されており、ＲＦタグ１０４がＲＦＩＤリーダに近接したときに、子機ＩＤをＲＦＩＤリーダへ送信する。
【００１７】
セルラ通信モジュール１０５は、セルラ通信の通信方式に従って、セルラ基地局３０と無線通信する。セルラ通信の通信方式の一例として、３Ｇ方式、ＬＴＥ方式等が挙げられる。
【００１８】
ＷｉＦｉ通信モジュール１０６は、ＷｉＦｉの通信方式に従って、無線親機２０と無線通信する。
【００１９】
ＧＰＳモジュール１０７は、無線子機１０の現在位置を測位し、無線子機１０の現在位置を示す情報（以下では「現在位置情報」と呼ぶことがある）をプロセッサ１０１へ出力する。
【００２０】
＜無線親機の構成例＞
図３は、実施例１の無線親機の構成例を示す図である。図３において、無線親機２０は、プロセッサ２０１と、メモリ２０２と、タッチパネル２０３と、スピーカ２０４と、ＲＦＩＤリーダ２０５と、ＷｉＦｉ通信モジュール２０６とを有する。
【００２１】
無線親機２０は、例えば、スマートフォン、タブレット端末等である。
【００２２】
プロセッサ２０１は、無線親機２０の各種の処理を行う。特に、プロセッサ２０１は、ＷｉＦｉ通信モジュール２０６を制御することにより、無線子機１０との通信を制御する。また、プロセッサ２０１は、タッチパネル２０３に対して為される所定の操作に基づいて、無線子機１０との通信を制御する。また、プロセッサ２０１は、所定の音声信号をスピーカ２０４へ出力することにより、スピーカ２０４を鳴動させる。プロセッサ２０１が行う処理の詳細は後述する。プロセッサ２０１の一例として、ＣＰＵ、ＤＳＰ、ＦＰＧＡ等が挙げられる。
【００２３】
メモリ２０２は、無線親機２０にユニークな親機ＩＤ、及び、無線親機２０にペアリングされている無線子機１０にユニークな子機ＩＤを記憶する。また、メモリ２０２は、プロセッサ２０１に各種の処理を行わせる各種のプログラムを記憶する。メモリ２０２の一例として、ＳＤＲＡＭ等のＲＡＭ、ＲＯＭ、フラッシュメモリ等が挙げられる。
【００２４】
タッチパネル２０３は、プロセッサ２０１の制御の下に各種の情報を表示する液晶パネルと、タッチパネル１２上のタッチ位置を検出してプロセッサ２０１へ出力するタッチセンサとを有し、無線親機２０の表面に取り付けられる。液晶パネルとタッチセンサとは積層されている。
【００２５】
スピーカ２０４は、プロセッサ２０１から入力される所定の音声信号に従って鳴動する。
【００２６】
ＲＦＩＤリーダ２０５は、無線子機１０が有するＲＦタグ１０４との間で近距離無線通信によって情報をやりとりする。ＲＦＩＤリーダ２０５は、ＲＦタグ１０４がＲＦＩＤリーダ２０５に近接したときに、ＲＦタグ１０４に格納されている子機ＩＤをＲＦタグ１０４から読み取る。
【００２７】
ＷｉＦｉ通信モジュール２０６は、ＷｉＦｉの通信方式に従って、無線子機１０と無線通信する。
【００２８】
＜無線子機の処理動作＞
図４は、実施例１の無線子機の処理の説明に供するフローチャートである。図４に示すフローチャートは、無線子機１０の電源がオンにされたときに開始される。
【００２９】
無線子機１０において、プロセッサ１０１は、無線親機２０からの発信開始指示がＷｉＦｉ通信モジュール１０６によって受信されるまで待機する（ステップＳ４０１：Ｎｏ）。発信開始指示には、無線子機１０の子機ＩＤと無線親機２０の親機ＩＤとが含まれている。なお、無線親機２０は、発信開始指示をビーコン信号に含めて送信してもよい。
【００３０】
プロセッサ１０１は、無線親機２０から発信開始指示を受信すると（ステップＳ４０１：Ｙｅｓ）、発信開始指示に含まれている子機ＩＤ及び親機ＩＤと、メモリ１０２に記憶されている子機ＩＤ及び親機ＩＤとが一致するか否かを判断する（ステップＳ４０２）。子機ＩＤまたは親機ＩＤが一致しないときは（ステップＳ４０２：Ｎｏ）、処理はステップＳ４０１に戻る。
【００３１】
ステップＳ４０２において子機ＩＤ及び親機ＩＤの双方が一致するときは（ステップＳ４０２：Ｙｅｓ）、プロセッサ１０１は、バッテリー１０３の残量（以下では「バッテリー残量」と呼ぶことがある）を検出する（ステップＳ４０３）。
【００３２】
次いで、プロセッサ１０１は、ステップＳ４０３で検出したバッテリー残量に応じてタイマＴＭ１に満了時間を設定後、タイマＴＭ１を起動させる（ステップＳ４０４）。プロセッサ１０１は、タイマＴＭ１の満了時間の設定を、以下のようにして行う。図５は、実施例１の無線子機の動作の説明に供する図である。図５には、一例として、バッテリー１０３の満充電時の電圧が４.２Ｖである場合を示す。プロセッサ１０１は、バッテリー１０３の電圧からバッテリー残量を求め、例えば、バッテリー残量が８０％以上であるときは、タイマＴＭ１の満了時間を１８０時間に設定する。また例えば、プロセッサ１０１は、バッテリー残量が４０％以上８０％未満であるときは、タイマＴＭ１の満了時間を９０時間に設定し、バッテリー残量が４０％未満であるときは、タイマＴＭ１の満了時間を３０時間に設定する。つまり、プロセッサ１０１は、バッテリー残量が小さくなるほど、タイマＴＭ１の満了時間をより小さく設定する。
【００３３】
次いで、プロセッサ１０１は、ステップＳ４０３で検出したバッテリー残量に応じて、送信周期Ｔｓを設定する（ステップＳ４０５）。プロセッサ１０１は、送信周期Ｔｓの設定を、以下のようにして行う。図６は、実施例１の無線子機の動作の説明に供する図である。図５と同様に、図６には、一例として、バッテリー１０３の満充電時の電圧が４.２Ｖである場合を示す。プロセッサ１０１は、送信周期Ｔｓの初期値として、例えば、バッテリー残量が４０％以上であるときは送信周期Ｔｓを２分に設定し、バッテリー残量が４０％未満であるときは送信周期Ｔｓを４分に設定する。つまり、ステップＳ４０５では、プロセッサ１０１は、バッテリー残量が小さくなるほど、送信周期Ｔｓの初期値をより大きく設定する。なお、送信周期Ｔｓは、繰り返しタイマに満了時間Ｔｓを設定することにより計時することができる。
【００３４】
次いで、プロセッサ１０１は、セルラ通信モジュール１０５を起動させてセルラ通信を開始するとともに（ステップＳ４０６）、ＧＰＳモジュール１０７を起動させる。また、プロセッサ１０１は、タイマＴＭ２を起動させる（ステップＳ４０７）。つまり、プロセッサ１０１は、無線親機２０からの発信開始指示がＷｉＦｉ通信モジュール１０６によって受信されたときに（ステップＳ４０１：Ｙｅｓ）、セルラ通信モジュール１０５を用いてセルラ基地局３０への無線発信を開始する（ステップＳ４０６）。これにより、セルラ基地局３０によって、無線子機１０からの無線発信の受信が開始される。また、セルラ基地局３０への無線発信の開始からの経過時間が、タイマＴＭ２によって計時される。タイマＴＭ２には、満了時間として例えば１２時間が予め設定されている。
【００３５】
セルラ通信の開始後、プロセッサ１０１は、セルラ通信モジュール１０５を用いて、現在位置情報を現在時刻とともにセルラ基地局３０へ送信する（ステップＳ４０８）。この現在位置情報の送信間隔は、以下のステップＳ４１１での処理によって、ステップＳ４０５で設定された送信周期Ｔｓに一致する。
【００３６】
次いで、プロセッサ１０１は、ＷｉＦｉ通信モジュール１０６を用いて、応答要求を無線親機２０へ送信する（ステップＳ４０９）。
【００３７】
プロセッサ１０１は、送信した応答要求に対して無線親機２０から送信される応答がＷｉＦｉ通信モジュール１０６によって受信されたか否かを判断する（ステップＳ４１０）。無線親機２０からの応答がＷｉＦｉ通信モジュール１０６によって受信されたときは（ステップＳ４１０：Ｙｅｓ）、プロセッサ１０１は、前回の現在位置情報の送信から送信周期Ｔｓが経過するまで待機する（ステップＳ４１１：Ｎｏ）。一方で、無線親機２０からの応答がＷｉＦｉ通信モジュール１０６によって受信されないときは（ステップＳ４１０：Ｎｏ）、処理はステップＳ４１３へ進む。
【００３８】
ここで、無線子機１０が無線親機２０から所定の距離内に位置するときは、無線親機２０からの応答が無線子機１０によって受信され、無線子機１０が無線親機２０から所定の距離外に位置するときは、無線親機２０からの応答が無線子機１０によって受信されない。
【００３９】
前回の現在位置情報の送信から送信周期Ｔｓが経過すると（ステップＳ４１１：Ｙｅｓ）、プロセッサ１０１は、タイマＴＭ１が満了したか否かを判断する（ステップＳ４１２）。タイマＴＭ１が満了していないときは（ステップＳ４１２：Ｎｏ）、処理はステップＳ４０８に戻り、プロセッサ１０１は、再び現在位置情報を現在時刻とともにセルラ基地局３０へ送信する。
【００４０】
また、セルラ通信の開始後、ユーザにより無線子機１０と無線親機２０とが近接させられて両者間の距離が閾値未満になると（ステップＳ４２１：Ｙｅｓ）、ＲＦＩＤリーダ２０５から発信された電波によってＲＦタグ１０４が起電して電波を発信する。ＲＦタグ１０４は、この電波の発信により、ＲＦタグ１０４に格納されている子機ＩＤを送信する（ステップＳ４２２）。無線子機１０と無線親機２０との距離が閾値以上にあるときは（ステップＳ４２１：Ｎｏ）、ＲＦタグ１０４からの子機ＩＤの送信は行われず、処理はステップＳ４０８に戻る。
【００４１】
次いで、プロセッサ１０１は、ステップＳ４２２で送信された子機ＩＤに応じて無線親機２０から送信される発信停止指示がＷｉＦｉ通信モジュール１０６によって受信されたか否かを判断する（ステップＳ４２３）。発信停止指示が受信されないときは（ステップＳ４２３：Ｎｏ）、処理はステップＳ４０８に戻る。発信停止指示には、無線子機１０の子機ＩＤと無線親機２０の親機ＩＤとが含まれている。
【００４２】
プロセッサ１０１は、無線親機２０から発信停止指示を受信すると（ステップＳ４２３：Ｙｅｓ）、発信停止指示に含まれている子機ＩＤ及び親機ＩＤと、メモリ１０２に記憶されている子機ＩＤ及び親機ＩＤとが一致するか否かを判断する（ステップＳ４２４）。子機ＩＤまたは親機ＩＤが一致しないときは（ステップＳ４２４：Ｎｏ）、処理はステップＳ４０８に戻る。
【００４３】
ステップＳ４０８において子機ＩＤ及び親機ＩＤの双方が一致するときは（ステップＳ４２４：Ｙｅｓ）、プロセッサ１０１は、セルラ通信モジュール１０５の動作を停止させて、セルラ通信を停止する（ステップＳ４２５）。また、プロセッサ１０１は、ＧＰＳモジュール１０７の動作を停止させる。つまり、つまり、プロセッサ１０１は、セルラ基地局３０への無線発信の開始後（ステップＳ４０６）、無線親機２０からの発信停止指示がＷｉＦｉ通信モジュール１０６によって受信されたときに（ステップＳ４２３：Ｙｅｓ）、セルラ基地局３０への無線発信を停止する（ステップＳ４０８）。換言すれば、プロセッサ１０１は、セルラ基地局３０への無線発信の開始後、無線親機２０からの発信停止指示がＷｉＦｉ通信モジュール１０６によって受信されるまで、セルラ通信モジュール１０５を用いてセルラ基地局３０への無線発信を継続する。
【００４４】
また、ステップＳ４１２においてタイマＴＭ１が満了しているときは（ステップＳ４１２：Ｙｅｓ）、プロセッサ１０１は、セルラ通信モジュール１０５の動作を停止させて、セルラ通信を停止する（ステップＳ４２５）。また、プロセッサ１０１は、ＧＰＳモジュール１０７の動作を停止させる。つまり、プロセッサ１０１は、無線子機１０が無線親機２０から所定の距離内に位置する状態において（ステップＳ４１０：Ｙｅｓ）、セルラ基地局３０への無線発信の開始から所定時間経過したときは（ステップＳ４１２：Ｙｅｓ）、以下の処理を行う。すなわち、プロセッサ１０１は、発信停止指示の受信の有無（ステップＳ４２３）にかかわらず、セルラ基地局３０への無線発信を停止する（ステップＳ４２５）。
【００４５】
ステップＳ４１０において無線親機２０からの応答が受信されないとき（ステップＳ４１０：Ｎｏ）、つまり、無線子機１０が無線親機２０から所定の距離外に位置するときに、プロセッサ１０１は、タイマＴＭ２が満了したか否かを判断する（ステップＳ４１３）。つまり、ステップＳ４１３において、プロセッサ１０１は、セルラ基地局３０への無線発信を開始してから１２時間経過したか否かを判断する。タイマＴＭ２が満了していないときは（ステップＳ４１３：Ｎｏ）、処理はステップＳ４０８に戻る。
【００４６】
一方で、タイマＴＭ２が満了しているときは（ステップＳ４１３：Ｙｅｓ）、プロセッサ１０１は、バッテリー残量を検出し（ステップＳ４１４）、検出したバッテリー残量に応じて、送信周期Ｔｓを変更する（ステップＳ４１５）。すなわち、プロセッサ１０１は、セルラ基地局３０への無線発信を開始してから１２時間経過後の送信周期Ｔｓを、図６に示すようにして初期値から変更する。例えば、プロセッサ１０１は、１２間経過後にバッテリー残量が８０％以上であるときは送信周期Ｔｓを３０分に変更し、１２間経過後にバッテリー残量が４０％以上８０％未満であるときは送信周期Ｔｓを６０分に変更する。また例えば、プロセッサ１０１は、１２間経過後にバッテリー残量が４０％未満であるときは送信周期Ｔｓを１２０分に変更する。つまり、プロセッサ１０１は、セルラ基地局３０への無線発信の開始からの経過時間と、バッテリー残量とに応じて、無線発信の発信間隔を制御する。また、プロセッサ１０１は、無線発信の開始から所定時間経過後の発信間隔を、無線発信の開始から所定時間経過前の発信間隔より大きくする。所定時間は、例えば、１２時間である。また、プロセッサ１０１は、無線子機１０が無線親機２０から所定の距離外に位置する状態において（ステップＳ４１０：Ｎｏ）、セルラ基地局３０への無線発信の開始から所定時間経過したときは（ステップＳ４１３：Ｙｅｓ）、以下の処理を行う。すなわち、プロセッサ１０１は、無線発信の開始から所定時間経過後の発信間隔を、無線発信の開始から所定時間経過前の発信間隔より大きくする。
【００４７】
次いで、プロセッサ１０１は、セルラ通信モジュール１０５の動作を停止させて、セルラ通信を停止する（ステップＳ４１６）。また、プロセッサ１０１は、ＧＰＳモジュール１０７の動作を停止させる。
【００４８】
次いで、プロセッサ１０１は、前回の現在位置情報の送信から送信周期Ｔｓが経過するまで待機する（ステップＳ４１７：Ｎｏ）。前回の現在位置情報の送信から送信周期Ｔｓが経過すると（ステップＳ４１７：Ｙｅｓ）、プロセッサ１０１は、セルラ通信モジュール１０５を起動させてセルラ通信を開始し（ステップＳ４１８）、現在位置情報を現在時刻とともにセルラ基地局３０へ送信する（ステップＳ４１９）。
【００４９】
ステップＳ４１９での現在位置情報の送信後、プロセッサ１０１は、セルラ通信モジュール１０５の動作を停止させて、セルラ通信を停止する（ステップＳ４２０）。また、プロセッサ１０１は、ＧＰＳモジュール１０７の動作を停止させる。セルラ通信の停止後、処理は、ステップＳ４１７に戻る。
【００５０】
＜無線親機の処理動作＞
図７は、実施例１の無線親機の処理の説明に供するフローチャートである。図７に示すフローチャートは、無線親機２０の電源がオンにされたときに開始される。
【００５１】
無線親機２０において、プロセッサ２０１は、タッチパネル２０３に対する所定の操作を検出するまで待つ（ステップＳ５０１：Ｎｏ）。所定の操作とは、例えば、タッチパネル２０３上の所定の位置に表示された「緊急発信ボタン」に対するタッチ操作である。
【００５２】
プロセッサ２０１は、タッチパネル２０３に対する所定の操作を検出すると（ステップＳ５０１：Ｙｅｓ）、スピーカ２０４の鳴動を開始する（ステップＳ５０２）。また、プロセッサ２０１は、ＷｉＦｉ通信モジュール２０６を用いて、発信開示指示を無線子機１０へ送信する（ステップＳ５０３）。
【００５３】
発信開始指示の送信後、プロセッサ２０１は、無線子機１０のＲＦタグ１０４から送信される子機ＩＤがＲＦＩＤリーダ２０５によって受信されたか否かを判断する（ステップＳ５０４）。子機ＩＤが受信されないときは（ステップＳ５０４：Ｎｏ）、プロセッサ２０１は、ＲＦＩＤリーダ２０５による子機ＩＤの受信を待つ。
【００５４】
ＲＦＩＤリーダ２０５によって子機ＩＤが受信されると（ステップＳ５０４：Ｙｅｓ）、プロセッサ２０１は、受信された子機ＩＤと、メモリ２０２に記憶されている子機ＩＤとが一致するか否かを判断する（ステップＳ５０５）。両者の子機ＩＤが一致しないときは（ステップＳ５０５：Ｎｏ）、処理はステップＳ５０４に戻る。
【００５５】
一方で、両者の子機ＩＤが一致するときは（ステップＳ５０５：Ｙｅｓ）、プロセッサ２０１は、メモリ２０２から子機ＩＤ及び親機ＩＤを取得する。そして、プロセッサ２０１は、取得した子機ＩＤ及び親機ＩＤを含めた発信停止指示を、ＷｉＦｉ通信モジュール２０６を用いて無線子機１０へ送信する（ステップＳ５０６）。
【００５６】
次いで、プロセッサ２０１は、スピーカ２０４の鳴動を停止する（ステップＳ５０７）。
【００５７】
また、発信開始指示の送信後、プロセッサ２０１は、無線子機１０から送信される応答要求がＷｉＦｉ通信モジュール２０６によって受信されたか否かを判断する（ステップＳ５０８）。応答要求が受信されないときは（ステップＳ５０８：Ｎｏ）、プロセッサ２０１は、応答要求の受信を待つ。
【００５８】
応答要求が受信されると（ステップＳ５０８：Ｙｅｓ）、プロセッサ２０１は、応答要求に対する応答を、ＷｉＦｉ通信モジュール２０６を用いて無線子機１０へ送信する（ステップＳ５０９）。応答の送信後、処理はステップＳ５０８に戻る。
【００５９】
以上のように、実施例１によれば、通信システム１は、無線子機１０と、無線親機２０と、セルラ基地局３０とを有する。無線子機１０は、無線親機２０に対する所定の操作に応じて無線親機２０から送信される発信開始指示を受信したときにセルラ基地局３０への無線発信を開始し、無線発信の開始後、無線親機２０から発信停止指示を受信したときに無線発信を停止する。
【００６０】
また、無線子機１０は、セルラ通信モジュール１０５と、ＷｉＦｉ通信モジュール１０６と、プロセッサ１０１とを有する。セルラ通信モジュール１０５は、セルラ基地局３０と通信可能である。ＷｉＦｉ通信モジュール１０６は、無線親機２０と通信可能である。プロセッサ１０１は、無線親機２０からの発信開始指示がＷｉＦｉ通信モジュール１０６によって受信されたときにセルラ通信モジュール１０５を用いてセルラ基地局３０への無線発信を開始する。また、プロセッサ１０１は、セルラ基地局３０への無線発信の開始後、無線親機２０からの発信停止指示がＷｉＦｉ通信モジュール１０６によって受信されたときにセルラ基地局３０への無線発信を停止する。
【００６１】
こうすることで、例えば、悪意を持った他人に無線親機２０を破壊される等して、無線親機２０がセルラ基地局３０への発信機能を失った場合でも、ユーザは、無線子機１０を用いて、セルラ基地局３０への発信を継続して行うことができる。よって、非常時の発信をより確実に継続することができる。例えば、他人には携帯通信機には見えない外観を採る小型の無線子機１０を用いることで、悪意を持った他人によってユーザから無線子機１０が奪われることを防げるため、無線子機１０の現在位置を継続してセルラ基地局３０へ送信することができる。また、他人には携帯通信機には見えない外観を採る小型の無線子機１０を用いることで、非常時の発信を行っているユーザが悪意のある他人から危害を加えられることを防止できる。よって、本実施例によれば、ユーザの安全を確保した上で、他人に連れ去られたユーザの追跡が可能になる。
【００６２】
また、実施例１によれば、プロセッサ１０１は、無線子機１０が無線親機２０から所定の距離外に位置する状態において、無線発信の開始から所定時間が経過したときは、無線発信の発信間隔を、無線発信の開始から所定時間経過前の発信間隔より大きくする。
【００６３】
こうすることで、例えば無線子機１０を身につけたユーザが悪意を持った他人によって長時間に渡って遠方へ連れ去られた場合に、バッテリー１０３の消費を抑えることができるため、無線子機１０の現在位置の送信時間を延ばすことができる。よって、他人に連れ去られたユーザの追跡を長時間に渡って行うことが可能になる。
【００６４】
また、実施例１によれば、プロセッサ１０１は、無線子機１０が無線親機２０から所定の距離内に位置する状態において、無線発信の開始から所定時間経過したときは、発信停止指示の受信の有無にかかわらず、無線発信を停止する。
【００６５】
こうすることで、無線子機１０による無線発信をユーザが誤って開始させてしまった場合等に、所定の経過時間の経過に従って、無線子機１０による無線発信を強制的に停止させることができる。よって、無線子機１０からの不必要な無線発信が継続して行われることを防止できるため、無線親機２０に対する誤操作に起因する無線子機１０のバッテリー１０３の消費を抑えることができる。
【００６６】
[他の実施例]
[１]上記実施例では、無線子機１０と無線親機２０との通信に用いられる通信方式がＷｉＦｉである場合を一例として説明した。しかし、無線子機１０と無線親機２０との通信に用いられる通信方式はＷｉＦｉに限定されない。無線子機１０と無線親機２０との通信に用いられる通信方式は、例えば、Bluetooth（登録商標）等であってもよい。
【００６７】
［２］上記実施例のタイマＴＭ１、タイマＴＭ２、及び、送信周期Ｔｓを計時する繰り返しタイマは、ソフトウェアタイマによって実現されてもよい。
【００６８】
［３］上記実施例では、無線親機２０からの発信開始指示の送信が、タッチパネル２０３に対する所定の操作に基づいて行われる場合を一例として説明した。しかし、無線親機２０からの発信開始指示の送信は、無線親機２０が有する所定の機械式ボタンの押下に従って行われてもよい。また、無線親機２０は、例えば、タッチパネル２０３を有しない携帯電話機であってもよい。
【００６９】
［４］無線子機１０での上記説明における各処理は、各処理に対応する通信制御プログラムをプロセッサ１０１に実行させることによって実現してもよい。例えば、無線子機１０での上記説明における各処理に対応する通信制御プログラムがメモリ１０２に記憶され、通信制御プログラムがプロセッサ１０１によってメモリ１０２から読み出されて実行されてもよい。
【００７０】
［５］無線親機２０での上記説明における各処理は、各処理に対応する通信制御プログラムをプロセッサ２０１に実行させることによって実現してもよい。例えば、無線親機２０での上記説明における各処理に対応する通信制御プログラムがメモリ２０２に記憶され、通信制御プログラムがプロセッサ２０１によってメモリ２０２から読み出されて実行されてもよい。
【００７１】
［６］ユーザの周囲の状況を把握するために、無線子機１０は集音マイクを有し、現在位置情報に併せて、無線子機１０の周囲の音をセルラ基地局３０へ送信してもよい。
【００７２】
［７］上記のステップＳ４１５での送信周期Ｔｓの変更においては、複数の現在位置情報から求められる無線子機１０の単位時間当たりの移動距離を考慮してもよい。例えば、無線子機１０の単位時間当たりの移動距離が大きくなるほど、送信周期Ｔｓをより小さくすることが好ましい。
【００７３】
［８］電波状況が悪くて無線子機１０がセルラ基地局３０に接続できない場合は、プロセッサ１０１は、現在位置情報をメモリ１０２に蓄積し、電波状況が回復後、メモリ１０２に蓄積した現在位置情報をまとめてセルラ基地局３０へ送信してもよい。
【００７４】
以上の各実施例を含む実施形態に関し、さらに以下の付記を開示する。
【００７５】
（付記１）無線親機と、無線子機と、基地局とを有する通信システムであって、
前記無線子機は、前記無線親機に対する所定の操作に応じて前記無線親機から送信される開始指示を受信したときに前記基地局への無線発信を開始し、前記無線発信の開始後、前記無線親機から停止指示を受信したときに前記無線発信を停止する、
通信システム。
【００７６】
（付記２）基地局と通信可能な第一通信モジュールと、
他の通信機と通信可能な第二通信モジュールと、
前記他の通信機からの開始指示が前記第二通信モジュールによって受信されたときに前記第一通信モジュールを用いて前記基地局への無線発信を開始し、前記無線発信の開始後、前記他の通信機からの停止指示が前記第二通信モジュールによって受信されたときに前記無線発信を停止するプロセッサと、
を具備する携帯通信機。
【００７７】
（付記３）前記プロセッサは、前記携帯通信機が前記他の通信機から所定の距離外に位置する状態において、前記無線発信の開始から所定時間が経過したときは、前記無線発信の発信間隔を、前記無線発信の開始から前記所定時間経過前の前記発信間隔より大きくする、
付記２に記載の携帯通信機。
【００７８】
（付記４）前記プロセッサは、前記携帯通信機が前記他の通信機から所定の距離内に位置する状態において、前記無線発信の開始から所定時間が経過したときは、前記停止指示の受信の有無にかかわらず、前記無線発信を停止する、
付記２に記載の携帯通信機。
【００７９】
（付記５）無線親機と、無線子機と、基地局とを有する通信システムにおける無線通信方法であって、
前記無線親機が、前記無線親機に対する所定の操作に応じて前記無線子機へ開始指示を送信し、
前記無線子機が、前記開始指示を受信したときに前記基地局への無線発信を開始し、前記無線発信の開始後、前記無線親機から停止指示を受信したときに前記無線発信を停止し、
前記基地局は、前記無線子機からの前記無線発信を受信する、
無線通信方法。
【００８０】
（付記６）基地局と通信可能な第一通信モジュールと、他の通信機と通信可能な第二通信モジュールと、プロセッサとを具備する携帯通信機に用いられる通信制御プログラムであって、
前記他の通信機からの開始指示が前記第二通信モジュールによって受信されたときに前記第一通信モジュールを用いて前記基地局への無線発信を開始し、前記無線発信の開始後、前記他の通信機からの停止指示が前記第二通信モジュールによって受信されたときに前記無線発信を停止する
処理を、前記プロセッサに実行させる通信制御プログラム。
【符号の説明】
【００８１】
１  通信システム
１０  無線子機
２０  無線親機
３０−１〜３０−３  セルラ基地局
１０１，２０１  プロセッサ
１０２，２０２  メモリ
１０３  バッテリー
１０４  ＲＦタグ
１０５  セルラ通信モジュール
１０６，２０６  ＷｉＦｉ通信モジュール
１０７  ＧＰＳモジュール
２０３  タッチパネル
２０４  スピーカ
２０５  ＲＦＩＤリーダ
【図１】
2015216425.tif 000003
【図２】
2015216425.tif 000004
【図３】
2015216425.tif 000005
【図４】
2015216425.tif 000006
【図５】
2015216425.tif 000007
【図６】
2015216425.tif 000008
【図７】
2015216425.tif 000009